(57)【特許請求の範囲】
【請求項１】
底面材が２つ折りになって、前記底面材の折り部を上にして、重ねた表面材と、裏面材との間の下端部に挟み込まれており、前記表面材と前記裏面材の側部での接合部、及び、前記表面材と前記裏面材の下端部と前記底面材との側部での接合部とがシールされている側部シール部と、前記表面材の下端部と前記底面材とがシールされ、前記裏面材の下端部と前記底面材とがシールされている底シール部と、前記表面材と前記裏面材の上端部での接合部がシールされている上部シール部とを有するスタンディングパウチであって、
左右の前記側部シール部の上下方向の中間部に、内方に広がる幅広部が設けられており、該幅広部内に左右方向にのみに伸びる線状の貫通または半貫通の切れ目が設けられていることを特徴とするスタンディングパウチ。
【請求項２】
前記貫通または半貫通の切れ目を設ける側部シール部の上下方向の中間部を、下から側部シール部の３０％から７０％の位置に設けたことを特徴とする請求項１に記載のスタンディングパウチ。
【請求項３】
前記スタンディングパウチの上部に口栓を設けたことを特徴とする請求項１または２に記載のスタンディングパウチ。
【発明の詳細な説明】
【技術分野】
【０００１】
本発明は、スタンディングパウチに関するものである。
【背景技術】
【０００２】
シャンプー、リンス、パーマ液、ヘアカラー液、液体洗濯用洗剤、柔軟剤等の液体の製品を収納する容器は、従来、プラスチックボトルが多く用いられてきた。そして、近年、これらのプラスチックボトルへの詰め替え用としてスタンディングパウチ入りのこれら液体製品が、商店の棚を広く占めるようになって来た。また、口栓付きのスタンディングパウチも用いられるようになって、詰め替え用に限らず、直接使用される用途にも用いられるようになってきている。
【０００３】
そして注ぎやすさなどの使い勝手や、商品展示の観点から改良された、異形パウチが出てきていて、スタンディングパウチの胴部が括れているものや、胴部の側部シール部がその上下方向中間部で広幅になっているものが出てきた。
【０００４】
例えば、胴部の側部シール部の高さ方向の中心部が弓状の膨らみを有するシールパターンでシールしたスタンディングパウチがあり、この膨らみ部を持たせることによって、一種のリブ効果を持たせ、内容物を充填してパウチ胴部が広げられた時、胴部のシールの際にシワなどが発生せず、表裏面材が薄くても安定した形状を得るようにした、スタンディングパウチがあった。（特許文献１）
また、注出時に注出部の開口形成を良くし、片手でもって内容物の注出操作ができるようにする為に、スタンディングパウチの上部一隅に設けた注出部側の側部シール部に、内容物充填状態において、パウチの左右側部間から注出部へ向けた稜線部を形成するくびれ部を形成したスタンディングパウチがあった。（特許文献２）
公知文献を以下に示す。
【先行技術文献】
【特許文献】
【０００５】
【特許文献１】特開平１１−１１４９６号公報
【特許文献２】特開２００２−１７９１００号公報
【発明の概要】
【発明が解決しようとする課題】
【０００６】
上述のようなスタンディングパウチは、側部シール部が硬く、立っているため、内容物が多く重たい場合、消費者がパウチを持った時、痛みを感じることがあった。本発明は、消費者がパウチを持った時、内容物が多く重たい場合でも、痛みを感じることのないスタンディングパウチを提供することを課題とする。
【課題を解決するための手段】
【０００７】
本発明は係る課題に鑑みなされたものであり、請求項１の発明は、底面材が２つ折りになって、前記底面材の折り部を上にして、重ねた表面材と、裏面材との間の下端部に挟み込まれており、前記表面材と前記裏面材の側部での接合部、及び、前記表面材と前記裏面材の下端部と前記底面材との側部での接合部とがシールされている側部シール部と、前記表面材の下端部と前記底面材とがシールされ、前記裏面材の下端部と前記底面材とがシールされている底シール部と、前記表面材と前記裏面材の上端部での接合部がシールされている上部シール部とを有するスタンディングパウチであって、
左右の前記側部シール部の上下方向の中間部に、内方に広がる幅広部が設けられており、該幅広部内に左右方向にのみに伸びる線状の貫通または半貫通の切れ目が設けられていることを特徴とするスタンディングパウチである。
【０００８】
本発明のスタンディングパウチは、以上のような構成であって、側部シール部内で該側部シール部の上下方向の中間部に、貫通または半貫通の切れ目を設けてあるので、消費者が注ぐために持った時、貫通または半貫通の切れ目で意図的にスタンディングパウチを屈曲させることができ、屈曲することにより、手に当たる部分広がり、側部シール部が硬くても、痛みを感じることがない。
【００１０】
本発明はさらに、両側の側部シール部の上下方向の中間部に、内方に広がる幅広部を設け、該幅広部に貫通または半貫通の切れ目を設けてあるので、更にスタンディングパウチを屈曲させやすくなり、痛みを感じることがより少なくなる。
本発明の請求項２の発明は、前記貫通または半貫通の切れ目を設ける側部シール部の上
下方向の中間部を、下から側部シール部の３０％から７０％の位置に設けたことを特徴とする請求項１に記載のスタンディングパウチである。
下から３０％未満の位置に設けると、スタンディングパウチが屈曲したときに、持ちにくく、また、下から７０％を超える位置に設けると注ぎにくい。
【００１１】
本発明の請求項３の発明は、前記スタンディングパウチの上部に口栓を設けたことを特徴とする請求項１または２に記載のスタンディングパウチである。
【００１２】
本発明はさらに、スタンディングパウチの上部に口栓を設けることによって、詰め替え用としてだけでなく、直接使用用にも使うことができる。そして、上部に口栓を設けることによって、注ぐ時に大きく傾けなければならなくても、意図的にスタンディングパウチを屈曲させることができるので、側部シール部が硬くても、痛みを感じることがない。
【発明の効果】
【００１３】
以上のように、本発明のスタンディングパウチは、意図的にスタンディングパウチを屈曲させることができるので、消費者がパウチを持った時、内容物が多く重たい場合でも、痛みを感じることのない。
【図面の簡単な説明】
【００１４】
【図１】本発明のスタンディングパウチの一例を模式的に説明する平面図である。
【図２】本発明のスタンディングパウチの一例に内容物が充填されたときを模式的に説明する側面図である。
【図３】本発明のスタンディングパウチの一例に用いられる積層フィルム１０を模式的に説明する断面図である。（Ａ）は、基材フィルムが単層の断面図、（Ｂ）は、基材フィルムが二層の断面図である。
【図４】本発明のスタンディングパウチの第２の例を模式的に説明する平面図である。
【図５】本発明のスタンディングパウチの第３の例を模式的に説明する平面図である。
【図６】本発明のスタンディングパウチの第４の例を模式的に説明する平面図である。
【図７】本発明のスタンディングパウチの第５の例を模式的に説明する平面図である。
【図８】本発明のスタンディングパウチの第６の例を模式的に説明する平面図である。
【発明を実施するための形態】
【００１５】
以下本発明を実施するための形態につき説明する。図１は、本発明のスタンディングパウチの一例を模式的に説明する平面図である。図２は、本発明のスタンディングパウチの一例に内容物が充填されたときを模式的に説明する側面図である。
【００１６】
本例のスタンディングパウチ１は、図１のように、下端部に底面材２を２つ折りにして、折り部２ａを上にして、表面材３、裏面材４の下端部３ａ、４ａに挟み込み、表面材３と裏面材４の相互の側部での接合部、及び、表面材３と裏面材４の下端部３ａ、４ａと底面材２との側部での接合部とをシールした側部シール部６を設ける。
【００１７】
また、表面材３の下端部３ａと底面材２とをシールし、裏面材４の下端部４ａと底面材２とをシールした底シール部７を設ける。そして、表面材３と裏面材４の上端部での接合部に、口栓５を挟みこんでシールした上部シール部８を設けた、口栓つきのスタンディングパウチ１である。
【００１８】
そして、側部シール部６内で該側部シール部６の上下方向の中間部に、貫通切れ目９ａが設けられている。貫通切れ目９ａは、側部シール部６の表面材３と裏面材４を貫通した線状の切れ目である。そして、貫通切れ目９ａの向きは、左右方向に伸びるように設けられている。
【００１９】
また、貫通切れ目９ａは、側部シール部６の外縁部及び内縁部から離れた中間に設ける必要がある。そのため、図１のように、側部シール部６は、貫通切れ目９ａを設けるのに充分な幅を持っていることが好ましい。
【００２０】
側部シール部６内で該側部シール部６の上下方向の中間部に、貫通切れ目９ａを設けてあるので、消費者が注ぐために持った時、貫通切れ目９ａで意図的にスタンディングパウチを屈曲させることができ、屈曲することにより、手に当たる部分が広がり、側部シール部６が硬くても、痛みを感じることがない。
【００２１】
本例では、貫通切れ目９ａを設けたが、半貫通の切れ目を設けても良く、同じような効果が得られる。また、貫通切れ目９ａや半貫通の切れ目のある部分に、表面材側、あるいは、裏面材側に凸となるエンボスを設けると、さらにスタンディングパウチを屈曲させやすくなる。
【００２２】
図２は、本例のスタンディングパウチ１に内容物が充填されたときを模式的に説明する側面図である。内容物を充填すると、底面材２は２つ折りの状態から広がり、表面材３と裏面材４は離れて、広い収納部が形成される。
【００２３】
図３は、本発明のスタンディングパウチの一例に用いられる積層フィルム１０を模式的に説明する断面図である。本例のスタンディングパウチに限らず、本発明のスタンディングパウチで用いられる表面材３と裏面材４と底面材２は、基材フィルム１１とシーラントフィルム１２が積層された積層フィルムからなっている。
【００２４】
基材フィルム１１としては、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度である。
【００２５】
基材フィルム１１を多層にして設けても良い。多層の基材フィルム１１としては、外層側から、基材フィルム１１ａ／基材フィルム１１ｂとすると、ポリエチレンテレフタレート／ナイロン、ナイロン／ポリエチレンテレフタレート、ナイロン／無機酸化物蒸着ポリエチレンテレフタレート、ナイロン／アルミニウム蒸着ポリエチレンテレフタレート、ナイロン／アルミニウム箔、ポリエチレンテレフタレート／アルミニウム箔などの積層したフィルムを用いることができる。
【００２６】
シーラントフィルム１２には、熱溶融性樹脂が用いられる。ポリプロピレンや、低密度ポリエチレン、直鎖状低密度ポリエチレン、あるいは、酸変性ポリエチレンなどが用いられる。特に、直鎖状低密度ポリエチレンが好ましく用いらえる。
【００２７】
また、シーラントフィルム１２に多層の共押し出しフィルムを用いても良い。多層の共押し出しフィルムのシーラントフィルム１２としては、低密度ポリエチレンや高密度ポリエチレンを中間層として、両面に直鎖状低密度ポリエチレンの層を設けたものが好ましく用いられる。
【００２８】
シーラントフィルム１２の厚さは、内容物の量によって、調整されるものであるが、３００ｍｌから５００ｍｌの家庭用使用するスタンディングパウチには、８０μｍから２００μｍの厚さが好ましく、より好ましくは、１００μｍから１５０μｍが好ましく使用できる。
【００２９】
基材フィルム１１とシーラントフィルム１２の貼り合わせ方法、および、多層の基材フィルム１１の基材フィルム１１ａと基材フィルム１１ｂの貼り合わせ方法は、ドライラミネート法で行っても良い。また、サンドイッチラミネート法で行ってもかまわない。また、場合によっては、シーラントフィルム１２を押出機から製膜しながら押出して、基材フィルム１１に貼り合わせる押出ラミネート法で行っても良い。
【００３０】
また、絵柄印刷層１３を基材フィルム１１の裏面に設けることができる。また、多層の基材フィルム１１の場合は、基材フィルム１１ａと基材フィルム１１ｂの間に絵柄印刷層１３を設けることができる。絵柄印刷層１３を設ける印刷方式は、特に限定するものではないが、通常、グラビア印刷、あるいは、フレキソ印刷が用いられる。
【００３１】
尚、口栓については図示しないが、通常のインジェクション成形によって、作られている。使用する樹脂は、ポリエチレンや、ポリプロピレンが、本用途にはコスト面や、成形のしやすさから好ましい。
【００３２】
図４は、本発明のスタンディングパウチの第２の例を模式的に説明する平面図である。本例のスタンディングパウチ１００は、図１と同様の構造をしており、側部シール部６内で該側部シール部６の上下方向の中間部に、貫通切れ目９ａではなく、貫通孔９ｂが設けられていることが異なる。
【００３３】
貫通孔９ｂは、側部シール部６の表面材３と裏面材４を貫通した孔である。そして、貫通孔９ｂの形状は、円形でも良いし、長円形、楕円形でもよい。あるいは、ひし形や、三角形などの多角形でも良い、この場合角は丸めて、角丸を取っておいたほうが、側部シール部６の表面材３と裏面材４に破れが発生することがなく好ましい。
【００３４】
また、貫通孔９ｂは、側部シール部６の外縁部及び内縁部から離れて設ける必要がある。そのため、図のように、側部シール部６は、貫通孔９ｂを設けるのに充分な幅を持っていることが好ましい。
【００３５】
以上のように、側部シール部６内で該側部シール部６の上下方向の中間部に、貫通孔９ｂを設けてあるので、本例のスタンディングパウチ１００においても、消費者が注ぐために持った時、貫通孔９ｂで意図的にスタンディングパウチを屈曲させることができるので、屈曲することにより、手に当たる部分広がり、側部シール部６が硬くても、痛みを感じることがない。
【００３６】
図５は、本発明のスタンディングパウチの第３の例を模式的に説明する平面図である。本例のスタンディングパウチ２００も、図１と略同様の構造をしているが、側部シール部６の上下方向の中間部に、内方に広がる幅広部１４が設けられており、該幅広部１４に貫通切れ目９ａが設けられている。この幅広部１４によって、収納部がくびれているので、より一層この左右の貫通切れ目９ａを結ぶ線で、スタンディングパウチが屈曲しやすくな
る。屈曲することにより、手に当たる部分広がり、側部シール部６が硬くても、痛みを感じることがない。
【００３７】
本例では、貫通切れ目９ａを設けたが、半貫通の切れ目を設けても良く、同じような効果が得られる。また、貫通切れ目９ａや半貫通の切れ目のある部分が、表面材側に、あるいは、裏面材側に凸となるエンボス加工を設けると、さらにスタンディングパウチを屈曲させやすくなる。
【００３８】
図６は、本発明のスタンディングパウチの第４の例を模式的に説明する平面図である。本例のスタンディングパウチ３００は、図５と略同様の構造をしているが、側部シール部６に設けられた、内方に広がる幅広部１４に、貫通切れ目９ａではなく、貫通孔９ｂが設けられている。図５のスタンディングパウチ２００と同様に、幅広部１４によって収納部がくびれているので、より一層この左右の幅広部１４に設けられた貫通孔９ｂを結ぶ線で、スタンディングパウチが屈曲しやすくなる。屈曲することにより、手に当たる部分広がり、側部シール部６が硬くても、痛みを感じることがない。
【００３９】
図７は、本発明のスタンディングパウチの第５の例を模式的に説明する平面図である。本例のスタンディングパウチ４００は、図１と同様に、下端部に底面材２を２つ折りにして、折り部２ａを上にして、表面材３、裏面材４の下端部に挟み込み、表面材３と裏面材４の相互の接合部、及び、表面材３と裏面材４の下端部と底面材２の接合部とをシールした側部シール部６、底シール部７を設けて、表面材３と裏面材４の上端部の左右方向中央に、口栓５を挟みこんでシールした上部シール部８を設けた、口栓つきのスタンディングパウチ４００である。
【００４０】
そして、左右の側部シール部６は、上部で内側に折れ曲がり、肩部１５を形成している。肩部１５の下方で、側部シール部６の上下方向の中間部に、内方に広がる幅広部１４が設けられており、該幅広部１４に貫通切れ目９ａが設けられている。
【００４１】
このように、肩部１５を形成したスタンディングパウチ４００においても、この幅広部１４によって、収納部がくびれているので、左右に設けた貫通切れ目９ａを結ぶ線で、スタンディングパウチ４００が屈曲しやすくなる。
【００４２】
そして、屈曲することにより手に当たる部分広がり、側部シール部６が硬くても、痛みを感じることがない。また、肩部１５は、注いだときに内容物が、残らず注ぎ出すために、設けたものである。
【００４３】
本例では、貫通切れ目９ａを設けたが、半貫通の切れ目を設けても良く、同じような効果が得られる。また、貫通切れ目９ａや半貫通の切れ目のある部分が、表面材側に、あるいは、裏面材側に凸となるエンボス加工を設けると、さらにスタンディングパウチを屈曲させやすくなる。
【００４４】
図８は、本発明のスタンディングパウチの第６の例を模式的に説明する平面図である。本例のスタンディングパウチ５００は、図７のスタンディングパウチ４００と略同様の構造をしているが、側部シール部６に設けられた、内方に広がる幅広部１４に、貫通切れ目９ａではなく、貫通孔９ｂが設けられている。このように、貫通切れ目９ａの代わりに、貫通孔９ｂを設けても、図７のスタンディングパウチ４００と同様に、幅広部１４によって収納部がくびれているので、より一層この左右の幅広部１４に設けられた貫通孔９ｂを結ぶ線で、スタンディングパウチが屈曲しやすくなる。
【００４５】
そして、屈曲することにより手に当たる部分広がり、側部シール部６が硬くても、痛み
を感じることがない。また、肩部１５によって、注いだときに内容物を残らず注ぎ出すことができる。
【００４６】
尚、貫通切れ目９ａまたは半貫通の切れ目、あるいは、貫通孔９ｂを設ける側部シール部６の上下方向の中間部としては、下から側部シール部６の３０％から７０％の位置に設けることが好ましい。下から３０％未満の位置に設けると、スタンディングパウチが屈曲したときに、持ちにくく、また、下から７０％を超える位置に設けると注ぎにくい。
【００４７】
また、半貫通の切れ目は、基材フィルム１１が切れているか、または、基材フィルム１１の中間まで切れていて、シーラントフィルム１２は切れていない切れ目か、多層の基材フィルム１１の場合、基材フィルム１１ａが切れていて、基材フィルム１１ｂとシーラントフィルム１２は切れていない切れ目としても良い。
【００４８】
以上のように、本発明の側部シール部６内で該側部シール部６の上下方向の中間部に、貫通切れ目９ａまたは貫通孔９ｂを設けたスタンディングパウチは、左右の貫通切れ目９ａまたは貫通孔９ｂを結ぶ線で、容易に屈曲させることができ、屈曲することにより手に当たる部分広がり、手で持って注ぐときに、手に痛みを感じることがない。
【符号の説明】
【００４９】
１、１００、２００、３００、４００、５００・・・スタンディングパウチ
２・・・底面材
２ａ・・・折り部
３・・・表面材
３ａ・・・下端部
４・・・裏面材
４ａ・・・下端部
５・・・口栓
６・・・側部シール部
７・・・底シール部
８・・・上部シール部
９ａ・・・貫通切れ目
９ｂ・・・貫通孔
１０・・・積層フィルム
１１、１１ａ、１１ｂ・・・基材フィルム
１２・・・シーラントフィルム
１３・・・絵柄印刷層
１４・・・幅広部
１５・・・肩部
【図１】
0005944094.tif 000002
【図２】
0005944094.tif 000003
【図３】
0005944094.tif 000004
【図４】
0005944094.tif 000005
【図５】
0005944094.tif 000006
【図６】
0005944094.tif 000007
【図７】
0005944094.tif 000008
【図８】
0005944094.tif 000009